(57)【要約】【課題】スロー表示している画像の構図を変更して記録すること。【解決手段】撮像装置１は、撮像手段１２により取得した複数の画像データを記憶手段１５に逐次記憶させる記憶制御手段１４と、記憶手段１５に逐次記憶された画像データを、撮像フレームレートより低い表示フレームレートで表示手段１８にスロー表示させる表示制御手段１４と、表示手段１８に表示される画像データのフレーム画像内における一部分の範囲を、記録媒体１９に記録する記録範囲として設定する設定手段１４と、画像の記録を指示する指示手段１７と、指示手段１７による指示が行われると、当該指示タイミングにおいて表示手段１８にスロー表示されていたフレーム画像に対応する画像データから、設定手段１４により設定された記録範囲の画像データを取得して、記録媒体１９に記録する画像記録制御手段と、を備える。【選択図】図１
2014072706.tif 000002
【特許請求の範囲】
【請求項１】
所定の撮像フレームレートで画像データを取得する撮像手段と、
前記撮像手段により取得した複数の画像データを記憶手段に逐次記憶させる記憶制御手段と、
前記記憶手段に逐次記憶された画像データを、前記撮像フレームレートより低い表示フレームレートで表示手段にスロー表示させる表示制御手段と、
前記表示手段に表示される画像データのフレーム画像内における一部分の範囲を、記録媒体に記録する記録範囲として設定する設定手段と、
画像の記録を指示する指示手段と、
前記指示手段による指示が行われると、当該指示タイミングにおいて表示手段にスロー表示されていたフレーム画像に対応する画像データから、前記設定手段により設定された記録範囲の画像データを取得して、記録媒体に記録する画像記録制御手段と、
を備えることを特徴とする撮像装置。
【請求項２】
請求項１に記載の撮像装置において、
当該撮像装置の動きを検出する動き検出手段をさらに備え、
前記設定手段は、前記動き検出手段による検出結果に応じて前記記録範囲を変更することを特徴とする撮像装置。
【請求項３】
請求項１または２に記載の撮像装置において、
前記表示制御手段は、前記フレーム画像に対応する画像データから、前記設定手段により設定された記録範囲の画像を取得して表示手段にスロー表示させることを特徴とする撮像装置。
【請求項４】
請求項３に記載の撮像装置において、
前記表示制御手段は、前記動き検出手段による検出結果に応じて前記記録範囲が変更されるとともに、前記表示手段に表示されている当該記録範囲の画像を変更することを特徴とする撮像装置。
【請求項５】
請求項１〜４のいずれか一項に記載の撮像装置において、
前記表示制御手段は、前記撮像手段により撮像されたフレーム画像上で前記記録範囲を示す枠を表示手段に表示させることを特徴とする撮像装置。
【請求項６】
請求項１〜５のいずれか一項に記載の撮像装置において、
前記撮像手段により撮像される画角の変更を指示する操作手段をさらに備え、
前記設定手段は、前記操作手段からの操作信号に応じて前記記録範囲の大きさを変更することを特徴とする撮像装置。
【請求項７】
請求項１〜６のいずれか一項に記載の撮像装置において、
前記画像データの各フレーム画像から、前記動き検出手段による検出結果に応じて時系列で変更される前記記録範囲の画像データをそれぞれ取得してつなぎ合わせることにより動画データを生成する動画生成手段をさらに備えることを特徴とする撮像装置。
【発明の詳細な説明】
【技術分野】
【０００１】
本発明は、撮像装置に関する。
【背景技術】
【０００２】
シャッターボタンが半押し操作されると、所定の撮像フレームレートで撮像素子に繰り返し撮像させ、バッファメモリに複数の画像を記憶し、記憶した複数の画像を読み出して撮像フレームレートよりも低いフレームレートで繰り返し表示部にスロー表示するスロー表示モードを有する撮像装置が知られている（例えば、特許文献１)。スロー表示モードでは、ユーザがスロー表示を見ながら所望のタイミングでシャッターボタンを全押し操作することで、当該操作時点でスロー表示されていた画像を記録することができる。このようなスロー表示モードは、動きの速い被写体であってもユーザが適切にシャッターチャンスを捉えることができるように設けられている。
【先行技術文献】
【特許文献】
【０００３】
【特許文献１】特許第４４４９９７３号公報
【発明の概要】
【発明が解決しようとする課題】
【０００４】
上記従来技術では、実際に撮像している画像とスロー表示している画像とで時間差があるため、スロー表示している画像の構図を変更して記録することができなかった。
【課題を解決するための手段】
【０００５】
本発明による撮像装置は、所定の撮像フレームレートで画像データを取得する撮像手段と、撮像手段により取得した複数の画像データを記憶手段に逐次記憶させる記憶制御手段と、記憶手段に逐次記憶された画像データを、撮像フレームレートより低い表示フレームレートで表示手段にスロー表示させる表示制御手段と、表示手段に表示される画像データのフレーム画像内における一部分の範囲を、記録媒体に記録する記録範囲として設定する設定手段と、画像の記録を指示する指示手段と、指示手段による指示が行われると、当該指示タイミングにおいて表示手段にスロー表示されていたフレーム画像に対応する画像データから、設定手段により設定された記録範囲の画像データを取得して、記録媒体に記録する画像記録制御手段と、を備えることを特徴とする。
【発明の効果】
【０００６】
本発明によれば、スロー表示している画像の構図を変更して記録することができる。
【図面の簡単な説明】
【０００７】
【図１】本発明の一実施の形態による撮像装置の構成例を説明するブロック図である。
【図２】スロー表示処理を説明する図である。
【図３】被写体の一例を示す図である。
【図４】撮像画像を示す図である。
【図５】フレーミング可能モードを説明する図である。
【図６】フレーミング可能モードにおけるスロー表示処理の流れを説明するフローチャートである。
【発明を実施するための形態】
【０００８】
以下、図面を参照して本発明の一実施の形態について説明する。図１は、本実施の形態における撮像装置の構成を示すブロック図である。撮像装置１は、撮像光学系１１と、撮像素子１２と、レンズ駆動回路１３と、制御部１４と、バッファメモリ１５と、動き検出部１６と、操作部１７と、表示部１８とを備えている。撮像装置１には、例えばメモリカードなどの記録媒体１９が着脱可能である。
【０００９】
撮像光学系１１は、ズームレンズやフォーカシングレンズを含む複数のレンズ群で構成され、被写体像を撮像素子１２の受光面に結像させる。なお、図１を簡単にするため、撮像光学系１１を単レンズとして図示している。
【００１０】
レンズ駆動回路１３は、制御部１４の制御のもと、撮像光学系１１のズームレンズを駆動して焦点距離を調節するとともに、撮像光学系１１のフォーカシングレンズを駆動して焦点調節を行う。
【００１１】
撮像素子１２は、例えばＣＭＯＳなどのイメージセンサであり、撮像光学系１１により結像した被写体像を撮像して、得られた画像信号を制御部１４へ出力する。
【００１２】
制御部１４は、ＣＰＵおよびその他の周辺回路等により構成され、撮像装置１全体の制御を行う。制御部１４は、撮像素子１２から取得した画像信号から画像データを生成する。バッファメモリ１５は、撮像素子１２からの画像信号を基に取得される複数の画像データを一時記憶するために使用される。
【００１３】
動き検出部１６は、例えば加速度センサなどから構成され、撮像装置１の筐体の水平方向および鉛直方向の移動量を検出する。動き検出部１６の検出信号は、制御部１４に出力される。
【００１４】
操作部１７は、ユーザによって操作される種々の入力部材、例えば、モード切替ボタン、シャッターボタン、録画ボタン、十字キー、決定ボタンなどにより構成される。操作部１７は、各ボタンが押下操作されると、各操作に応じた操作信号を制御部１４へ出力する。
【００１５】
表示部１８は、撮像装置１の背面に搭載された液晶モニタ（背面モニタ）等で構成され、撮像素子１２で撮像された画像や各種設定メニューなどが表示される。
【００１６】
制御部１４は、操作部１７での操作により撮影モードに設定されると、撮像素子１２から時系列で取得した画像信号から表示用のフレーム画像データを生成して表示部１８に出力する。これによって表示部１８にはスルー画が表示される。また制御部１４は、シャッターボタンが全押し操作されると、撮像素子１２から取得した画像信号に対して所定の画像処理を行って静止画像データを生成し、ＪＰＥＧなどの所定の方式により圧縮処理を行って、記録媒体１９に記録する。また制御部１４は、操作部１７での操作により再生モードに設定されると、記録媒体１９に記録された静止画像データを読み出して再生し、表示部１８に表示する。なお、本実施形態では、記憶とはバッファメモリなどの揮発性の記録媒体に画像を保存することであり、記録とはメモリカードなどの不揮発性の記録媒体に画像を保存することとする。
【００１７】
本実施形態の撮像装置１は、スロービューモードを有する。スロービューモードとは、撮像フレームレートよりも低い表示フレームレートで上記表示用のフレーム画像データを表示する（すなわちスロー表示する）モードである。このスロービューモードは、シャッターボタンが半押し操作されると、フレーム画像データの表示フレームレートを撮像フレームレートよりも低くすることで、動きの速い被写体であってもユーザが適切にシャッターチャンスを狙うことができるように設けられた撮影モードである。換言すれば、被写体を表示部１８にスロー表示する撮影モードである。スロービューモードでは、ユーザはスロー表示を見ながら所望のタイミングでシャッターボタンを全押し操作することで、全押し操作時点で表示部１８に表示されていた画像の静止画データを記録媒体１９に記録することができる。したがって、ユーザはシャッターチャンスを逃さず撮影することができる。
【００１８】
ここで、スロービューモードについて説明する。制御部１４は、スロービューモードにおいても、シャッターボタンが半押し操作されるまでは、撮像フレームレートと同じ表示フレームレートでフレーム画像データを表示する。そしてシャッターボタンが半押し操作されると、制御部１４は、上記フレーム画像データの表示フレームレートを撮像フレームレートよりも低くするスロー表示処理を開始する。以下、通常の表示フレームレート（撮像フレームレートと同じ表示フレームレート）で被写体を表示部１８に表示する処理をスルー画表示処理、通常の表示フレームレートより低い表示フレームレート（撮像フレームレートよりも低い表示フレームレート）で被写体を表示部１８に表示する処理をスロー表示処理と呼ぶ。
【００１９】
図２は、このスロー表示処理を説明する図である。制御部１４は、操作部１７での操作によりスロービューモードに設定されると、図２に示すように、撮像素子１２に所定の撮像フレームレートで被写体像を繰り返し撮像させる撮像処理を開始させる。そして、制御部１４は、撮像処理により得られる複数の画像データを、バッファメモリ１５に逐次記憶していく。制御部１４は、バッファメモリ１５に逐次記憶された複数の画像データのフレーム画像を、撮像フレームレートと同じ表示フレームレート（以下、スルー画表示用フレームレートと呼ぶ）で再生して表示部１８に表示するスルー画表示処理を開始させる。このときユーザは、スルー画表示用フレームレートで表示されるスルー画を確認しながら、撮影タイミングを待つ。
【００２０】
撮影タイミングが近づいたとユーザが判断し、シャッターボタンを半押し操作したとする。すると、制御部１４は、半押し操作時点で取得した画像データに基づいてＡＦ（自動焦点調節）処理、ＡＥ（自動露出演算）処理、およびＡＷＢ（自動ホワイトバランス調整）処理を実行する。制御部１４は、これらの処理後、焦点調節状態を固定するＡＦロック、露出を固定するＡＥロック、およびホワイトバランスを固定するＡＷＢロックを行う。
【００２１】
制御部１４は、シャッターボタンが半押し操作された時点から、撮像処理により逐次得られる複数の画像データのフレーム画像を、スルー画表示用フレームレートよりも低い表示フレームレート（以下、スロー表示用フレームレートと呼ぶ）で再生して表示部１８に表示するスロー表示処理を開始する。すなわち、制御部１４は、バッファメモリ１５に逐次記憶された画像データのフレーム画像データを読み出してスロー表示用フレームレートで表示部１８に表示していく。
【００２２】
制御部１４は、シャッターボタンの半押し操作時点から所定時間分のフレーム画像データの記憶が完了するとバッファメモリ１５への取り込みを停止し、当該所定時間分のフレーム画像データをバッファメモリ１５に保持しておく。なお、所定時間とは、例えば、バッファメモリ１５に記録可能な最大の時間である。
【００２３】
また制御部１４は、バッファメモリ１５に記憶した所定時間分のフレーム画像のスロー表示が終了すると、再度、バッファメモリ１５から所定時間分のフレーム画像データを順に読み出してスロー表示させる。すなわち、制御部１４は、バッファメモリ１５に保持されている所定時間分のフレーム画像のスロー表示を繰り返し行う（すなわちリピート表示する）。
【００２４】
このスロー表示処理中、シャッターボタンの全押し操作が行われると、制御部１４は、この全押し操作時点で表示部１８に表示していたフレーム画像に対応する画像データを記録用画像（静止画データ）として記録媒体１９に記録する。記録後、スロー表示処理を終了する。
【００２５】
ここで、図３に一例として示す被写体（車）を撮像装置１で撮影する場合について説明する。図３は、車が図面左から右へ向かって走ってきて坂を上っていく様子を示したもので、図３（Ａ）、（Ｂ）、（Ｃ）の順で時系列に変化する車の様子を示している。また、図３（Ａ）〜（Ｃ）は、それぞれ図２に示す（Ａ）〜（Ｃ）の時点に対応する。すなわち、ユーザは図３（Ａ）に示す状態のときにシャッターボタンの半押し操作を開始している。制御部１４は、図３（Ａ）〜（Ｃ）に示す状態で撮像した撮像画像を逐次バッファメモリ１５に蓄積して、スロー表示を行う。図４は、撮像素子１２で撮像された撮像画像を示す図であり、図４（Ａ）〜（Ｃ）は、図２に示す（Ａ）〜（Ｃ）の時点（すなわち図３（Ａ）〜（Ｃ）に示す状態）の撮像画像を示す。
【００２６】
スロービューモードでは、撮像フレームレートと表示フレームレートが異なるため、実際に撮像している画像（被写体像）とスロー表示している画像とで時間差が生じる。例えば、図２（Ｂ）の時点（図３（Ｂ）の状態）の撮像画像（図４（Ｂ））が表示部１８に表示されているときには、現実の被写体は図２（Ｃ）の時点であり図３（Ｃ）に示す状態となっている。したがって、このとき、図４（Ｃ）に示すように撮像画像において被写体が画面の外にはみ出してしまっても、そのことをユーザがスルー画で認識することができず、正しく構図を変更することができない。その後、ユーザは、図２（Ｃ）の時点での撮像画像（図４（Ｃ））がスロー表示されたときに初めて被写体が画面の外にはみ出していることを認識することができるが、そのときに構図を変更しても図４（Ｃ）の撮像画像の構図を変更することができない。
【００２７】
このようにスロービューモードでは構図を変更することができないため、撮影したい被写体が画面の外にはみ出してしまう可能性がある。そこで本実施形態の撮像装置１では、通常のスロービューモードの他に、構図を変更することができるスロー表示のモード（以下、フレーミング可能モードと呼ぶ）が設けられている。
【００２８】
図５は、フレーミング可能モードを説明する図である。フレーミング可能モードでは、図５に示すように、表示部１８に表示される範囲（表示範囲）５１よりも上下左右に広い範囲（撮像範囲）５２が撮像素子１２により撮像される。すなわち、表示部１８には、撮像素子１２により撮像された画像の一部分が表示される。また、この表示範囲５１は、シャッターボタンが全押し操作された場合に記録媒体１９に記録する範囲を示すものである。
【００２９】
図５（Ａ）〜（Ｃ）は、上述した図２（Ａ）〜（Ｃ）に示す時点の撮像画像を示す図である。図５（Ｃ）に示す画像では、被写体である車が表示範囲５１から右にはみ出してしまっているが、撮像範囲５２内には収まっている。そこで、図５（Ｃ）に示す画像が表示部１８に表示されたときに、ユーザが、構図を右方向にずらして車を画面の中に収めるように、撮像装置１を右方向へパンニングしたとする。
【００３０】
すると、動き検出部１６は撮像装置１の右方向の移動量を検出して、制御部１４に出力する。制御部１４は、図５（Ｄ）に示すように、動き検出部１６により検出された移動量に応じた距離だけ、表示範囲５１を右方向に移動させる。この結果、表示部１８に表示されるスロー画の構図が、通常の撮影モード時に撮像装置１を右方向へパンニングしたときと同様に変更される。ゆえに図５（Ｄ）では、表示範囲５１内に車が収まり、スロー画の中に車を収めることができる。
【００３１】
この図５（Ｄ）の状態でユーザがシャッターボタンを全押し操作したとする。すると、制御部１４は、全押し操作時点で表示していたフレーム画像から表示範囲５１の部分を切り出し、対応する画像データを記録用画像として記録媒体１９に記録する。これにより、図５（Ｅ）に示すように構図を変更した画像を記録媒体１９に記録することができる。
【００３２】
次に、フレーミング可能モードにおける処理の流れについて説明する。制御部１４は、操作部１７での操作によりフレーミング可能モードに設定されると、撮像光学系１１のズームレンズを広角端に制御して撮像素子１２に撮像を行わせる。これにより撮像画像の画角を最も広くする。
【００３３】
この状態で制御部１４は、撮像素子１２により撮像された撮像範囲５２の一部分を表示範囲５１として設定し、撮像されたフレーム画像から表示範囲５１の画像を切り出して撮像フレームレートと同じ表示フレームレートで表示部１８に表示させる。ここでは表示範囲５１は、例えば撮像範囲５２の中央に所定の大きさで設定される。
【００３４】
シャッターボタンの半押し操作が行われると、制御部１４は、フレーミング可能モードにおけるスロー表示処理を開始する。このフレーミング可能モードにおけるスロー表示処理の流れを、図６に示すフローチャートを用いて説明する。
【００３５】
ステップＳ１において、制御部１４は、表示範囲５１の画像を撮像フレームレートよりも低い表示フレームレートで表示部１８に表示させるスロー表示処理を開始して、ステップＳ２へ進む。
【００３６】
ステップＳ２において、制御部１４は、動き検出部１６からの検出信号に基づいて撮像装置１が移動したか否かを判定する。撮像装置１が移動した場合には、制御部１４は、ステップＳ２を肯定判定して、ステップＳ３へ進む。一方、撮像装置１が移動していない場合には、制御部１４は、ステップＳ２を否定判定して、ステップＳ６へ進む。
【００３７】
ステップＳ３において、制御部１４は、動き検出部１６により検出された撮像装置１の移動方向および移動量に基づいて、表示範囲５１の移動方向および移動量を決定する。具体的には制御部１４は、撮像装置１の移動方向を表示範囲５１の移動方向として決定し、撮像装置１の移動量に応じて表示範囲５１の移動量を決定する。すなわち撮像装置１の移動量が大きいほど表示範囲５１の移動量を大きくし、撮像装置１の移動量が小さいほど表示範囲５１の移動量を小さくする。このようにして制御部１４は、表示範囲５１の移動方向および移動量を決定すると、ステップＳ４へ進む。
【００３８】
ステップＳ４において、制御部１４は、表示範囲５１が移動可能であるか否かを判定する。表示範囲５１の位置によっては、ステップＳ３で決定した移動方向および移動量で表示範囲５１を移動すると表示範囲５１が撮像範囲５２からはみ出してしまうために、表示範囲５１を移動することができない場合がある。そこで制御部１４は、表示範囲５１の移動が不可能である場合には、ステップＳ４を否定判定して表示範囲５１を移動せず、ステップＳ６へ進む。一方、制御部１４は、表示範囲５１を移動可能である場合は、ステップＳ４を肯定判定して、ステップＳ５へ進む。
【００３９】
ステップＳ５において、制御部１４は、ステップＳ３で決定した移動方向および移動量で表示範囲５１を移動させ、ステップ６へ進む。
【００４０】
ステップＳ６において、制御部１４は、シャッターボタンが全押し操作されたか否かを判定する。シャッターボタンが全押し操作されていない場合には、制御部１４は、ステップＳ６を否定判定してステップＳ２へ戻る。一方、シャッターボタンが全押し操作された場合には、制御部１４は、ステップＳ６を肯定判定してステップＳ７へ進む。
【００４１】
ステップＳ７において、制御部１４は、シャッターボタンの全押し操作時点で表示していたフレーム画像から表示範囲５１の画像を切り出し、記録用画像として記録媒体１９に記録して、図６のスロー表示処理を終了する。
【００４２】
スロー表示処理を終了すると、制御部１４は、シャッターボタンの半押し操作前に行っていた、表示範囲５１の画像を撮像フレームレートと同じ表示フレームレートで表示するスルー画表示処理を再開する。
【００４３】
以上説明した実施形態によれば、次の作用効果が得られる。
（１）撮像装置１は、所定の撮像フレームレートで被写体を撮像する撮像素子１２と、撮像素子１２により撮像された画像データをバッファメモリ１５に逐次記憶させる制御部１４と、逐次記憶された画像データを、撮像フレームレートより低い表示フレームレートで表示部１８に順次スロー表示させる制御部１４と、画像データのフレーム画像内における一部分の範囲を、記録媒体１９に記録する記録範囲（表示範囲５１）として設定する制御部１４と、静止画像の記録を指示するシャッターボタンと、シャッターボタンの全押し操作が行われると、当該操作タイミングにおいて表示部１８にスロー表示されていたフレーム画像から記録範囲（表示範囲５１）の画像を切り出して記録媒体１９に記録する制御部１４と、撮像装置１の動きを検出する動き検出部１６と、を備え、制御部１４は、動き検出部１６による検出結果に応じて記録範囲（表示範囲５１）を変更するように構成した。これにより、ユーザは、スロー表示されている画像を確認しながら、通常の撮影と同様の構図変更操作（撮像装置１を動かす操作）によって、スロー表示されている画像の構図を変更して記録することができる。
【００４４】
（２）上記（１）の撮像装置１において、制御部１４は、バッファメモリ１５に記憶したフレーム画像から表示範囲５１の画像を切り出して表示部１８にスロー表示するように構成した。これにより、ユーザは、通常のスロービューモードと同様の表示画面を見ながら、スロー表示されている画像の構図を変更することができる。
【００４５】
（変形例１）
撮像画像の画角の変更を指示するためのズームボタンの操作によって、上述した表示範囲５１の大きさを変更できるようにしてもよい。この場合の制御部１４は、ズームボタンからの操作信号に応じて表示範囲５１の大きさを変更する。具体的には、制御部１４は、ズームレンズを広角端に向かって変更するようにズームボタンが操作された場合には、当該操作量に応じて表示範囲５１を大きくする。また制御部１４は、ズームレンズを望遠端に向かって変更するようにズームボタンが操作された場合には、当該操作量に応じて表示範囲５１を小さくする。変形例１によれば、スロー表示している画像の画角を変更することができる。
【００４６】
（変形例２）
上述したフレーミング可能モードにおいて、動画データを生成するようにしてもよい。この場合の制御部１４は、フレーミング可能モードにおいて録画ボタンが操作されると、動画生成処理を開始する。動画生成処理では、上述したスロー表示処理を行うと共に、各フレーム画像における表示範囲５１の位置情報を、各フレーム画像に対応付けてバッファメモリ１５に記憶しておく。上述したように表示範囲５１は、動き検出部１６により検出される撮像装置１の移動方向および移動量に応じて時系列で変更されるため、時系列で変更される表示範囲５１の位置情報を記憶しておく。
【００４７】
そして、再度録画ボタンが操作されると、制御部１４は、バッファメモリ１５に記憶された各フレーム画像における表示範囲５１の位置情報に基づいて、当該操作時点までにスロー表示された各フレーム画像から表示範囲５１の画像をそれぞれ切り出してつなぎ合わせることで新たな動画データを生成し、記録媒体１９に記録する。なお、この動画データの表示フレームレートは、撮像フレームレートと同じであってもよいし、スロー表示の表示フレームレートと同じであってもよい。
【００４８】
このように変形例２の制御部１４は、バッファメモリ１５に記憶された各フレーム画像データから、動き検出部１６による検出結果に応じて時系列で変更された表示範囲５１の画像をそれぞれ切り出してつなぎ合わせることにより動画データを生成する。これにより、スロー表示している動画データの構図を変更した新たな動画データを生成することができる。すなわち、通常の撮影と同様の構図変更操作（撮像装置１を動かす操作）によって、スロー表示した動画データの構図を変更し、当該変更後の動画データを記録することができる。
【００４９】
（変形例３）
上述した実施の形態では、撮像装置１の移動に応じて表示範囲５１を移動する例について説明した。さらに、撮像装置１の回転に応じて表示範囲５１を回転させるようにしてもよい。この場合の動き検出部１６は、撮像装置１の前後方向（光軸方向）を軸とした回転方向（ローリング方向）における回転量を検出する。制御部１４は、動き検出部１６により検出された回転量に応じて表示範囲５１を回転させる。
【００５０】
（変形例４）
上述した実施の形態では、シャッターボタンが全押し操作された場合に記録媒体１９に記録する記録範囲を表示範囲５１とし、撮像範囲５２全体ではなく表示範囲５１のみを表示する例について説明した。しかしながら、制御部１４は、フレーム画像における撮像範囲５２全体を表示すると共に、当該フレーム画像上で記録範囲を示す枠を表示するようにしてもよい。この場合、制御部１４は、動き検出部１６からの検出信号に応じて、フレーム画像上で記録範囲を示す枠を移動させるようにする。また、操作部１７の操作によってこの枠の大きさを変えることで、記録範囲の大きさを変更できるようにしてもよい。
【００５１】
（変形例５）
上述した実施の形態では、操作部１７での操作によりスロービューモードに設定されると、撮像処理により得られる画像データを、バッファメモリ１５に逐次記憶していく例について説明した。これに限らず、シャッターボタンが半押し操作された時点から、撮像処理により逐次得られる複数の画像データを、バッファメモリ１５に逐次記憶していくようにしてもよい。
【００５２】
（変形例６）
上述した実施の形態では、シャッターボタンを全押し操作すると、記録用画像を記録してスロー表示処理を終了した。これに限らず、スロー表示処理を継続し、シャッターボタンの全押し操作が複数回できるようにしてもよい。そして、シャッターボタンが全押し操作される毎に、全押し操作された時点で表示部１８に表示していたフレーム画像に対応する画像データを記録用画像として記録媒体１９に記録するようにしてもよい。この場合、バッファメモリ１５に記憶された画像データが全てスロー表示されたときにスロー表示処理を終了するようにしてもよい。またリピート再生される場合は、スロー再生を終了する操作を別に設けるようにすればよい。
【００５３】
以上の説明はあくまで一例であり、上記の実施形態の構成に何ら限定されるものではない。また、上記実施形態に各変形例の構成を適宜組み合わせてもかまわない。
【符号の説明】
【００５４】
１…撮像装置、１１…撮像光学系、１２…撮像素子、１４…制御部、１５…バッファメモリ、１６…動き検出部、１７…操作部、１８…表示部、１９…記録媒体
【図１】
2014072706.tif 000003
【図２】
2014072706.tif 000004
【図３】
2014072706.tif 000005
【図４】
2014072706.tif 000006
【図５】
2014072706.tif 000007
【図６】
2014072706.tif 000008